(57)【要約】【課題】少ない工程で生産性よく、かつ意匠性に優れた扉板を提供することである。【解決手段】パネルブロック片１と縦枠２を有し、該パネルブロック片１は背板１１の両側縁に該背板１１に直角に、同一方向に垂下パネル片１２が延設され、該両垂下パネル片１２間には上記背板１１に平行に仕切り板１３が形成され、該形状をアルミニウム材で一体に成形してなり、上記縦枠２はアルミニウム材を一体成形した中空柱状体からなり、上記パネルブロック片１を複数個積重するとともに、少なくとも最上端のパネルブロック片１ａと最下端のパネルブロック片１ｂとのそれぞれの背板１１を外側にして積重し、上記縦枠２間にパネルブロック片１の積重体を保持せしめ、表面化粧シート４により被覆してなる扉板Ａ。【選択図】図３
2012246602.tif 000002
【特許請求の範囲】
【請求項１】
パネルブロック片と縦枠を有し、該パネルブロック片は背板の両側縁に該背板に直角に、同一方向に垂下パネル片が延設され、該両垂下パネル片間には上記背板に平行に仕切り板が形成され、該形状をアルミニウム材で一体に成形してなり、上記縦枠はアルミニウム材を一体成形した中空柱状体からなり、上記パネルブロック片を複数個積重するとともに、少なくとも最上端のパネルブロック片と最下端のパネルブロック片とのそれぞれの背板を外側にして積重し、上記縦枠間にパネルブロック片の積重体を保持せしめ、表面化粧シートにより被覆してなる扉板。
【請求項２】
上記中空柱状体で形成される縦枠の長手方向一側面に縦溝を形成するとともに、該縦溝の幅を上記パネルブロック片の厚み幅と略同一とし、上記縦枠間の相対向する縦溝間に上記各パネルブロック片の縦方向両端縁部を挟持させてなる請求項１記載の扉板。
【発明の詳細な説明】
【技術分野】
【０００１】
本願発明は室内空間の間仕切り、部屋の出入り口、あるいは押入れやクローゼットに設置される扉等を構成する扉板に関する。さらに詳しくは、複数のパネルブロックを積重して形成された扉板に関するものである。
【背景技術】
【０００２】
戸建住宅、マンション等の屋内における室内空間の間仕切り、部屋の出入り口、あるいは押入れやクローゼットの扉等に用いられる扉板としては、縦桟と横桟とを組んで木製の枠体を構成し、この枠体に表面材を組み付けたものが主として用いられてきた。
【０００３】
従来一般的に、上記扉板は、縦桟用と横桟用の木桟を準備し、上記複数の縦桟と横桟とを組み立てて枠体を形成し、木製またはその他の素材からなる表面材を組み付け、その後、接着剤の塗布、表面化粧材の熱圧着等の工程を経て扉板としていた。
【０００４】
一方、上記木桟に替えてスチール等、金属製の縦桟と横桟とで形成された枠体に、石膏ボードと金属板を複合させて表面板としたものを組み付けてなる壁面パネル装置が提案されている。
【０００５】
特開平１１−５０５６７号公報には、上、下パネルは支柱に嵌合する係合縁を有し、下パネルは係合縁の上部に切欠部を有し且つ上部縁板の端部に係合孔を有し、上パネルは係合縁の下部に切欠部を有し、かつ下部縁板の端部に係合孔を有し、中間連結具は支柱部に外嵌する取付部の一側縁または両側縁にフック片を下方へ延設したものであり、両支柱間に取付けた下パネルの上部縁板の係合孔に、下パネルの切欠部の上方から差し入れた中間連結具のフック片の先端を下方から貫通させた状態で、取付部を支柱部の側面に取付け、両支柱間に取付けた上パネルの下部縁板の係合孔に下パネルの上部縁板から上方へ突出したフック片の先端を係入し、かつ上パネルの下部縁板を下パネルの上部縁板に載支してなる壁面パネル装置が開示されている。そして、この壁面パネル装置は室内空間の間仕切り壁として用いられるとの記載がある。
【先行技術文献】
【特許文献】
【０００６】
【特許文献１】特開平１１−５０５６７号公報
【発明の概要】
【発明が解決しようとする課題】
【０００７】
しかしながら、上記特許文献１に記載の壁面パネル装置においては、天井と床面とにそれぞれ固定した天レールと地レールとの間に複数の支柱を立設し、これら天レールと地レールと支柱からなる金属製の枠体に複数のパネルを取り付けて間仕切るため、天レールと地レールとを予め設置する必要があり、工数が増えるという問題がある。また、場所的に取り付け個所が限定されるという問題もある。
【０００８】
一方、従来、一般的に採用されてきた木製の縦桟と横桟とを組み立てて枠体を形成し、さらにこの枠体に表面材を組み付けて得られる扉板は、製造工程が複雑で工数も多く、コスト的に有利ではないという問題がある。本願発明はこのような状況に鑑みて考え出されたものであり、その目的は、少ない工程で生産性よく、かつ意匠性に優れた扉板を提供することである。
【課題を解決するための手段】
【０００９】
上記課題を解決するために、本願請求項１に記載の発明に係る扉板では、パネルブロック片と縦枠を有し、該パネルブロック片は背板の両側縁に該背板に直角に、同一方向に垂下パネル片が延設され、該両垂下パネル片間には上記背板に平行に仕切り板が形成され、該形状をアルミニウム材で一体に成形してなり、上記縦枠はアルミニウム材を一体成形した中空柱状体からなり、上記パネルブロック片を複数個積重するとともに、少なくとも最上端のパネルブロック片と最下端のパネルブロック片とのそれぞれの背板を外側にして積重し、上記縦枠間にパネルブロック片の積重体を保持せしめ、表面化粧シートにより被覆してなることを特徴とする。
【００１０】
本願請求項２に記載の発明に係る扉板では、上記請求項１に記載の扉板において、上記中空柱状体で構成される縦枠の長手方向一側面に縦溝を形成するとともに、該縦溝の幅を上記パネルブロック片の厚み幅と略同一とし、上記縦枠間の相対向する縦溝間に上記各パネルブロック片の縦方向両端縁部を挟持させてなることを特徴とする。
【発明の効果】
【００１１】
本願請求項１記載の発明に係る扉板においては、パネルブロック片と中空縦枠との二つの部品からなり、何れもアルミニウム材の一体成形品であるため、押出し成形法等によって大量生産することが可能となり、コスト的に有利に部品を調達することができる。
【００１２】
上記パネルブロック片は、背板の両側縁に該背板に直角に、同一方向に垂下パネル片を延設してなり、この両垂下パネル片間には上記背板に平行に仕切り板が形成されているため、この仕切り板が補強材として機能し、パネルブロック片全体の強度を向上させることができる。
【００１３】
また、複数のパネルブロック片を積重した積重体の両側を左右の中空縦枠で保持して扉板基材とし、この扉板基材を表面化粧シートにより被覆して扉板とするため、従来法に比べて少ない部品で製造工数を大幅に減らして意匠性に優れた扉板を得ることができる。
【００１４】
さらに、少なくとも最上端のパネルブロック片と最下端のパネルブロック片とのそれぞれの背板が外側にして積重されているため、パネルブロック片のフラットな背板が上下木口面となって外観性が向上したものとなる。また、中空縦枠の上下木口面が開口しているために各種の部品、例えば、ランナー、戸車、回転支持軸等の取付けが可能となる。
【００１５】
本願請求項２記載の発明に係る扉板においては、上記中空柱状体で構成される縦枠の長手方向一側面に縦溝を形成し、この縦溝の幅を上記パネルブロック片の厚み幅と略同一としているため、上記縦枠間の相対向する縦溝間に上記各パネルブロック片の縦方向両端縁部を挟持させたとき、パネルブロック片の積重体の縦方向両端縁部が縦溝にタイトに嵌合するため、左右の縦枠によってしっかりと挟持される。このようにして、上記縦枠間にパネルブロック片の積重体をしっかりと保持させることができる。
【図面の簡単な説明】
【００１６】
【図１】本願発明に係る扉板を構成するパネルブロック片を示す外観斜視図。
【図２】本願発明に係る扉板を構成する縦枠を示す部分外観斜視図。
【図３】複数個のパネルブロック片を積重した形態を示す外観斜視図。
【図４】（ａ）本願発明に係る扉板基材を示す平面説明図。（ｂ）本願発明に係る扉板を示す平面説明図。
【図５】本願発明に係る異なった実施例である扉板を示す平面説明図。
【発明を実施するための形態】
【００１７】
以下、本願発明に係る扉板の実施形態を、図面を参照して詳細に説明する。図１は、上記扉板を構成するパネルブロック片１を示す外観斜視図である。図１に示すように上記パネルブロック片１は、背板１１の両側縁に該背板１１に直角に、かつ同一方向に相対向して垂下した一対のパネル片１２、１２を延設してなるとともに、上記背板１１の下方で、上記一対の垂下パネル片１２、１２間には、上記背板１１と平行に仕切り板１３が設けられている。そして、これらはアルミニウム材を押出し成形する等の方法によって一体に形成されているため、上記仕切り板１３は、パネルブロック片１全体の補強材として機能する。符号１４は、後記するタッピングビス等の固定手段を取付けるための取付孔部を示す。また、符号ｄ１はパネルブロック片１の厚み幅を示す。
【００１８】
図２は、複数個積重された上記パネルブロック片１を挟持して組み付ける縦枠２を示す部分外観斜視図である。この縦枠２はアルミニウム材を押出し成形する等の方法によって中空柱状体に形成される。相対向して一対で用いられる縦枠２、２の長手方向の内側側面には、上記した複数個のパネルブロック片１の縦方向両端縁部を嵌合して挟持するための縦溝２１、２１が形成されている。この縦溝２１の幅ｄ２は、図１に示すパネルブロック片１の厚み幅ｄ１と略同一とされている。該縦枠２はその横断面が略方形をしており、上記縦溝２１の反対側の外側面２３の角部は面取りされている。また上記縦枠２の上下端部は開口端部２２とされている。該開口端部２２はランナー、戸車等が必要に応じて取り付けられるものであり、ランナー、戸車等を取り付ける必要がない場合、例えば化粧用蓋体５（図４（ｂ）参照）が装着される。
【００１９】
図３は、複数個のパネルブロック片１を積重した形態を示す外観斜視図である。積重するパネルブロック片１は、所望のパネル体、例えば開閉用のドアとする場合は、ドアの大きさ、高さによって適宜の幅を有するパネルブロック片１が適宜個数用いられる。図３においては、３個のパネルブロック片１が積重されているが、所望の高さのドアとなるように、適宜、積重する個数を加減すればよい。
【００２０】
ここで、最上端に配設されるパネルブロック片１ａは上横桟として機能し、図１に示す背板１１が上面となるように配設され、最下端に配設されるパネルブロック片１ｂは下横桟として機能するとともに、図１に示す背板１１が下面となるように配設される。そして、図３に示すパネルブロック片１の積重体の縦方向両端縁部１５、１５を、上記相対向する縦枠２の内側に設けられた縦溝２１、２１に嵌合する。
【００２１】
このとき、上記縦溝２１の幅ｄ２は、上記パネルブロック片１の厚み幅ｄ１と略同一とされているため、パネルブロック片１の積重体の縦方向両端縁部１５、１５は縦溝２１にタイトに嵌合し、左右の縦枠２、２によってしっかりと挟持される。このようにすることによって、本願発明に係る扉板を構成する後記扉板基材Ｂを得ることができる。また、上記扉板基材Ｂの底面は、パネルブロック片１ｂのフラットな背板１１で構成されているため、強度が大であり、また外観性も向上したものとなる。
【００２２】
図４（ａ）は上記扉板基材Ｂを示す平面説明図である。図４（ａ）に示すように、扉板基材Ｂは２本の縦枠２、２と、上横桟としてのパネルブロック片１ａと、図示しない下横桟としてのパネルブロック片１ｂとで構成され、枠体を形成している。そのため、強度的に優れたものとなり、また見映えのよいものとなる。
【００２３】
ここで、図４（ａ）に示すように、上記縦枠２の外側面２３にタッピングビス３を螺挿して前記図１に示す取付孔部１４にタッピングビス３の先端をねじ込んでもよい。このように、パネルブロック片１の積重体の縦方向両端縁部１５を縦枠２の縦溝２１に嵌合して挟持し、さらにタッピングビス３等の固定手段によって固定することによって、より強固に縦枠２をパネルブロック片１の積重体に組み付けることができる。
【００２４】
図４（ｂ）は、上記扉板基材Ｂの表面を表面化粧シート４で覆って得られた本願発明に係る扉板Ａを示す平面説明図である。上記表面化粧シート４としては、例えば木目模様が印刷された天然木調の化粧シート等が用いられ、この表面化粧シート４を扉板基材Ｂの表面に接着剤で接着、熱融着等の公知の方法でラッピングすることによって扉板Ａとすることができる。また、図４において縦枠２の開口端部２２を化粧用蓋体５で覆う。このようにすることにより、開口端部２２が露出することなく化粧用蓋体５でカバーされるため、外観意匠性をさらに向上させることができる。
【００２５】
図５は、本願発明の異なった実施例である扉板Ｃを示すもので、１はパネルブロック片であり、２は縦枠、４は表面化粧シートである。この扉板Ｃは、パネルブロック片１と縦枠２，２との厚みがほぼ同じであり、組み付けした場合にパネルブロック片１と縦枠２，２との間に段差が生じないものであり、このために、表面化粧シート４で被覆した場合に外観が良いものであり、特に扉板として適切なものとなる。また、表面化粧シート４は全面に被覆してもよいが図５に示すように裏面側に折り返し縦枠２，２の裏面部で固着しても良いものである。
【００２６】
このように本願発明に係る扉板Ａは設計変更自在であり、特許請求の範囲を逸脱しない限り本願発明の技術的範囲に含まれる。
【符号の説明】
【００２７】
１      パネルブロック片
１ａ    最上端に配設されるパネルブロック片
１ｂ    最下端に配設されるパネルブロック片
１１    背板
１２    垂下パネル片
１３    仕切り板
１４    取付孔部
１５    縦方向両端縁部
２      縦枠
２１    縦溝
２２    開口端部
２３    外側面
３      タッピングビス
４      表面化粧シート
５      化粧用蓋体
ｄ１    パネルブロック片の厚み幅
ｄ２    縦溝の幅
Ａ      本願発明に係る扉板
Ｂ      本願発明に係る扉板基材
Ｃ      本願発明に係る扉板の異なった実施例
【図１】
2012246602.tif 000003
【図２】
2012246602.tif 000004
【図３】
2012246602.tif 000005
【図４】
2012246602.tif 000006
【図５】
2012246602.tif 000007